(57)【特許請求の範囲】
【請求項１】
遊技機の制御を司る第一の制御基板を収納する第一の表カバーと、前記第一の制御基板と異なる第二の制御基板を収納する第二の表カバーと、裏カバーとで構成される制御基板収納箱を備えた遊技機において、
前記裏カバーには、前記第一の制御基板を載置する第一の載置部と、前記第二の制御基板を載置する第二の載置部とが互いに隣接して設けられ、
前記第一の載置部の前記第二の載置部側の端部には、前記第一の表カバーを係止する突起部が設けられ、
前記裏カバーの前記第一の載置部側の端部には、一方向へしか回すことができないネジが螺入されるネジ孔が設けられ、
前記第一の表カバーの一方の側面には、前記裏カバーに設けられた突起部に嵌合する嵌合部が設けられ、
前記第一の表カバーの前記一方の側面と反対側の側面には、前記ネジが貫設される貫通孔が設けられたねじ保持部が設けられ、
前記第二の載置部には前記第二の制御基板を収納するための第二の表カバーが前記第一の表カバーに近接して載置され、
前記第二の表カバーには、前記裏カバーに設けられた前記突起部と前記第一の表カバーに設けられた前記嵌合部とが嵌合した状態で、当該嵌合部の嵌合が外れるのを防止する密接部が設けられ、
前記裏カバーに設けられた前記突起部の近傍には、前記第二の表カバーに設けられた前記密接部を前記嵌合部方向に押圧するリブが設けられていることを特徴とする遊技機。
【請求項２】
前記裏カバーの前記第一の載置部側の端部には、一対の係止突起が設けられ、
前記第一の表カバーの前記ねじ保持部には、前記一対の係止突起に各々係止される一対の係止部が設けられていることを特徴とする請求項１に記載の遊技機。
【発明の詳細な説明】
【０００１】
【発明の属する技術分野】
本発明は、制御基板収納箱に関するものであり、詳細には遊技機の制御を司る制御基板を収納した収納箱を備えた遊技機に関する。
【０００２】
【従来の技術】
従来、遊技機の制御を司る制御基板の不正改造、例えば、不正ＲＯＭへの交換を防止するために、制御基板を収納する制御基板収納ボックスには、様々な工夫が施されている。例えば、制御基板収納ボックスに封印シールを設けたり、また、特開平１０−２１６３２４号公報に記載のパチンコ機の制御基板収納ボックスでは、制御基板収納ボックスを閉じる封印ビスによって、制御基板収納ボックスの開放ができないようになっている。さらに、特開平９−３４３６５号公報に記載のパチンコ機では、可動接点を用いて収納ボックスの開閉を検出して、その検出信号を記憶して、発光ダイオードにより報知するようになっている。
【０００３】
【発明が解決しようとする課題】
しかしながら、封印シールを用いるものでは、制御基板収納ボックスを開放して不正ＲＯＭへの交換が終了した後に、精巧な偽造封印シールを張られてしまうと制御基板収納ボックスが開閉されたか否かを判断することは困難だった。また、封印ビスを用いるものでは、特殊な工具で強制的に封印ビスを回して制御基板収納ボックスを開放して不正ＲＯＭへの交換が行われてしまうことがあった。また、これらの従来技術では不正行為が行われたことをその行為後に確認することができても、不正行為が迅速に行われてしまえば、その時点で不正行為に気付くことができないという問題点があった。
【０００４】
本発明は、上記課題を解決するためになされたものであり、複数のカバーにより容易に開封することができない制御基板収納箱を備えた遊技機を提供することを目的とする。
【０００５】
【課題を解決するための手段】
上記目的を達成するために、請求項１に係る発明の遊技機は、遊技機の制御を司る第一の制御基板を収納する第一の表カバーと、前記第一の制御基板と異なる第二の制御基板を収納する第二の表カバーと、裏カバーとで構成される制御基板収納箱を備えた遊技機において、前記裏カバーには、前記第一の制御基板を載置する第一の載置部と、前記第二の制御基板を載置する第二の載置部とが互いに隣接して設けられ、前記第一の載置部の前記第二の載置部側の端部には、前記第一の表カバーを係止する突起部が設けられ、前記裏カバーの前記第一の載置部側の端部には、一方向へしか回すことができないネジが螺入されるネジ孔が設けられ、前記第一の表カバーの一方の側面には、前記裏カバーに設けられた突起部に嵌合する嵌合部が設けられ、前記第一の表カバーの前記一方の側面と反対側の側面には、前記ネジが貫設される貫通孔が設けられたねじ保持部が設けられ、前記第二の載置部には前記第二の制御基板を収納するための第二の表カバーが前記第一の表カバーに近接して載置され、前記第二の表カバーには、前記裏カバーに設けられた前記突起部と前記第一の表カバーに設けられた前記嵌合部とが嵌合した状態で、当該嵌合部の嵌合が外れるのを防止する密接部が設けられ、前記裏カバーに設けられた前記突起部の近傍には、前記第二の表カバーに設けられた前記密接部を前記嵌合部方向に押圧するリブが設けられていることを特徴とする構成となっている。
【０００６】
この構成の遊技機では、制御基板収納箱の裏カバーの第１の載置部の第２の載置部側の端部には第一の表カバーを係止する突起部が設けられ、裏カバーの第１の載置部側の端部には、一方向へしか回すことができないネジが螺入されるネジ孔が設けられており、第一の表カバーの一方の側面には裏カバーに設けられた突起部に嵌合する嵌合部が設けられ、第一の表カバーの前記一方の側面と反対側の側面には、前記ネジが貫設される貫通孔が設けられたねじ保持部が設けられているので、第一の表カバーは、一方の端部に設けられた嵌合部が裏カバーの突起部に嵌合し、ねじ保持部に設けられた貫通孔をネジが貫通して、裏カバーに螺設される。
【０００７】
【０００８】
また、この構成の遊技機では、裏カバーには、第一の制御基板を載置する第一の載置部と、第一の制御基板と異なる第二の制御基板を載置する第２の載置部とが互いに隣接して設けられ、第一の載置部には、第一の表カバーが設けられ、第２の載置部には第二の制御基板を収納する第二の表カバーが設けられているので、第一の表カバーと第二の表カバーを独立して着脱することができる。
【０００９】
【００１０】
さらに、この構成の遊技機では、第二の表カバーに設けられた密接部は、裏カバーに設けられた突起部に嵌合した状態の第一の表カバーに設けられた嵌合部に密接するので、第二の表カバーを外さなければ第一の表カバーを外すことができず、それにより不正行為が迅速に行われるのを防ぐことができる。
【００１１】
【００１２】
また、この構成の遊技機では、制御基板収納箱の裏カバーに設けられた突起部の近傍にはリブが設けられており、当該リブが第二の表カバーに設けられた密接部を嵌合部方向に押圧し、第一の表カバーの嵌合部と第二の表カバーとの間に隙間が生じないので、第二の表カバーを着けたまま第一の表カバーを外すことができず、第二の表カバーを外さなければ第一の表カバーを外すことはできない。それにより、不正行為が迅速に行われるのを防ぐことができる。
【００１３】
また、請求項２に係る発明の遊技機では、請求項１に記載の発明の構成に加えて、前記裏カバーの前記第一の載置部側の端部には、一対の係止突起が設けられ、前記第一の表カバーの前記ねじ保持部には、前記一対の係止突起に各々係止される一対の係止部が設けられている。
【００１４】
この構成の遊技機では、請求項１に記載の遊技機の作用に加えて、第一の表カバーを裏カバーに取り付ける際に、裏カバーの第一の載置部側の端部に設けられた一対の係止突起により、第一の表カバーのねじ保持部に設けられた一対の係止部が係止される。
【００１５】
【００１６】
【００１７】
【発明の実施の形態】
以下、本発明の一実施の形態について図面を参照して説明する。まず、パチンコ機１の機械的構成について、図面を参照して説明する。図１はパチンコ機１の正面図である。図１に示すように、パチンコ機１の正面の上半分の部分には、略正方形の遊技盤２が設けられ、遊技盤２には、ガイドレール３で囲まれた略円形の遊技領域４が設けられている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー１８が設けられている。
【００１８】
次に、遊技盤２の機械的構造について図２を参照して説明する。図２はパチンコ機１の遊技盤２の正面図である。遊技盤２には、ガイドレール３で囲まれた略円形の遊技領域４が設けられている。遊技領域４の略中央には、液晶画面を備えた特別図柄表示装置８が設けられている。この特別図柄表示装置８には、図示外の第１図柄停止部、第２図柄停止部、第３図柄停止部及び普通図柄表示部が設けられており、普通図柄表示部には、一桁の数字や一文字のアルファベット等の図柄を表示できるようになっている。また、特別図柄表示装置８の右上方には電飾風車９が設けられ、左上方にも電飾風車１０が設けられている。さらに、特別図柄表示装置８の右側には普通図柄始動ゲート１１が設けられ、左側にも普通図柄始動ゲート１２が設けられている。
【００１９】
また、特別図柄表示装置８の下側には、特別図柄始動電動役物１５が設けられており、その特別図柄始動電動役物１５の下方には、大入賞口１６が設けられている。さらに、普通図柄始動ゲート１１の下方には、入賞口１９が設けられ、普通図柄始動ゲート１２の下方には、入賞口２０が設けられている。さらに、特別図柄表示装置８の下部には遊技球を暫時載置可能なステージ２１が遊技盤２の表面に対して略垂直に設けられ、特別図柄表示装置８の右肩には遊技球通過口２２が設けられ、特別図柄表示装置８の左肩には遊技球通過口２３が設けられている。これらの遊技球通過口２２，２３を通過した遊技球が特別図柄表示装置８の内部（ワープゾーン）を通ってステージ２１に現出するようになっている。ステージ２１に現出した遊技球は、ステージ２１の直下に設けられている特別図柄始動電動役物１５に向かって落下するようになっている。
【００２０】
また、特別図柄表示装置８の上部には、４個のＬＥＤから成る普通図柄記憶数表示ＬＥＤ２９ａが設けられており、この普通図柄記憶数表示ＬＥＤ２９ａは、普通図柄始動ゲート１１，１２を通過した遊技球のいわゆる保留球数を表示することができる。また、普通図柄記憶数表示ＬＥＤ２９ａの上方には、４個のＬＥＤから成る特別図柄記憶数表示ＬＥＤ２９ｂが設けられており、特別図柄始動電動役物１５に入賞したいわゆる保留球の数を表示することができる。さらに、特別図柄記憶数表示ＬＥＤ２９ｂの中央には、普通図柄表示部２４が設けられている。尚、遊技盤２には、上記以外に、種々の電飾ランプ、風車及び多数の障害釘等が設けられている。
【００２１】
次に、図３を参照して、パチンコ機１の背面の構造について説明する。図３はパチンコ機１の背面図である。図３に示すように、パチンコ機１の背面の上部には、背面の上部を覆う本体カバー３０が設けられており、パチンコ機１の背面の本体カバー３０下方には、図３の右側に配設された電源基板（図示外）を覆う電源基板表カバー３２ａ及び配線（図示外）を覆う配線カバー３２ｂが設けられている。また、電源基板（図示外）の左側にはパチンコ機１の音制御を司る音基板（図示外）が配設されており、その音基板を覆う音基板表カバー３４が電源基板表カバー３２ａ及び配線カバー３２ｂの左側に隣接して設けられている。また、音基板（図示外）のさらに左側にはパチンコ機１の主制御を司る主基板（図示外）が配設されており、その主基板を覆う主基板表カバー３６が音基板表カバー３４の左側に隣接して設けられている。音基板表カバー３４と主基板表カバー３６とは、共通の裏カバー３５（図４参照）に設けられることによってパチンコ機１の背面に設けられるようになっている。そして、図４に示すように、音基板表カバー３４と主基板表カバー３６と裏カバー３５とで制御基板収納箱５０を構成している。
【００２２】
次に、図４乃至図９を参照して、裏カバー３５と音基板表カバー３４と主基板表カバー３６とからなる制御基板収納箱５０の構造について説明する。図４及び図５は、制御基板収納箱５０の斜視図であり、図６は、裏カバー３５の正面図であり、図７は、図６に示す裏カバー３５の斜視図であり、図８及び図９は、音基板表カバー３４の斜視図である。
【００２３】
図４及び図５に示すように、制御基板収納箱５０は、パチンコ機１（図３参照）の背面に設けられる裏カバー３５と、裏カバー３５に載置されたパチンコ機１の主制御を司る主基板（図示外）を覆う主基板表カバー３６と、主基板表カバー３６に隣接する位置で裏カバー３５に設けられて、パチンコ機１の音制御を司る音基板（図示外）を覆う音基板表カバー３４とから構成されている。裏カバー３５は合成樹脂材料からなっており、図６に示すように、所定厚を有し正面視略正方形形状である。また、図６における裏カバー３５の左側領域は、図示外の主基板が載置される主基板載置部３５ａとなっており、右側領域は、図示外の音基板が載置される音基板載置部３５ｂとなっており、何れも上下方向に長手の略長方形形状になっている。また、主基板載置部３５ａは音基板載置部３５ｂと比べて裏カバー３５の板幅方向の長さが略３倍になっている。
【００２４】
また、図７に示すように、裏カバー３５の主基板載置部３５ａの−Ｘ側縁端近傍には、後述する一方向へしか回すことができないネジが螺入されるネジ孔４０を備えたネジ保持部３１と、前記ネジが螺入されるネジ孔４１を備えたネジ保持部３３とが設けられており、ネジ保持部３１は上側にネジ保持部３３は下側にそれぞれ設けられている。上下両側のネジ保持部には、Ｚ軸方向に並んで４つずつのネジ孔が穿設されている。また、上側ネジ保持部３１の上端部には係止突起部４２が設けられており、下側ネジ保持部３３の下端部には係止突起部４３が設けられている。この係止突起部４２，４３は、何れも裏カバー３５の表面に対して略垂直に−Ｙ側に立設されている。そして、係止突起部４２，４３は、後述する主基板表カバー３６を裏カバー３５に取り付ける際、主基板表カバー３６に設けられた係止部３７ａ及び３８ａを係止することになる。さらに、上下のネジ保持部３１，３３に挟まれた位置には、図３に示す制御基板収納箱５０をパチンコ機１に取り付けるための取付クリップ８０を貫通させるための貫通孔８５が設けられている。
【００２５】
また、裏カバー３５の主基板載置部３５ａの＋Ｘ側縁端と音基板載置部３５ｂの−Ｘ側縁端との間には、Ｚ軸方向に沿って部分的に開放された４つの開放部５７〜６０が上方から下方へ向かってほぼ均等に設けられている。また、主基板載置部３５ａの＋Ｘ側の側縁には壁部３５ｅが形成され、この壁部３５ｅに４つの突起部５３〜５６が正面視で前記開放部５７〜６０内に位置するようにＺ軸方向に並んで設けられており、突起部５３〜５６には後述する主基板表カバー３６に設けられた貫通孔６１〜６４が嵌合することになる。さらに、音基板載置部３５ｂの−Ｘ側の側縁の一部にはリブ４５（図１５参照）が形成されており、音基板載置部３５ｂを覆う後述する音基板表カバー３４の押圧部７４を主基板載置部３５ａ方向へ押圧することになる。
【００２６】
また、音基板載置部３５ｂの＋Ｘ側の側縁には＋Ｙ側に凹んだ切り欠き５１，５２が形成されており、−Ｘ側の側縁にも＋Ｙ側に凹んだ２つの切り欠き（図示外）が形成されている。後述する音基板表カバー３４は、その左右側壁に設けられた係止爪部をそれぞれ音基板載置部３５ｂの側縁に形成された切り欠きに係止させて、裏カバー３４に取り付けられることになる。さらに、音基板載置部３５ｂの＋Ｘ側の側縁には、配線カバー係合部３９が設けられており、図３に示すパチンコ機１の背面に配線カバー３２ｂが設けられたときに、配線カバー３２ｂの一部が、配線カバー係合部３９に係合するようになっている。また、裏カバー３５の上端部には、制御基板収納箱５０をパチンコ機１（図３参照）の背面に設けるときに、パチンコ機１に設けられた軸支部（図示外）に軸支される取付軸３５ｃ，３５ｄが形成されている。
【００２７】
また、図４及び図５に示すように、裏カバー３５に取り付けられて制御基板収納箱５０を構成する主基板表カバー３６は、略正方形形状の前壁３６ａと、前壁３６ａの−Ｘ側端縁から＋Ｙ方向へ前壁３６ａに対して略垂直に立設された略長方形の左側壁３６ｂと、前壁３６ａの＋Ｘ側端縁から＋Ｙ方向へ前壁３６ａに対して略垂直に立設された略長方形の右側壁３６ｃ（図１１参照）と、前壁３６ａの−Ｚ側端縁から＋Ｙ方向へ前壁３６ａに対して略垂直に立設された下壁（図示外）と、前壁３６ａの＋Ｚ側端縁から延設された側面視階段型形状の上壁３６ｄとから構成されている。また、前壁３６ａと一対の後壁側は開放されており、裏カバー３５の主基板載置部３５ａ（図７参照）に載置された図示外の主基板を主基板表カバー３６が覆うようになっている。また、前壁３６ａには略直方体の窪み部４４が形成されている。窪み部４４はその底面４４ａで、制御基板収納箱５０内で主基板載置部３５ａ（図６参照）に載置された図示外のＲＯＭが外れないようにＲＯＭを押さえつける。
【００２８】
さらに、主基板表カバー３６の左側壁３６ｂ近傍には、ネジ保持部３７及びネジ保持部３８が設けられており、ネジ保持部３７は上部に、ネジ保持部３８は下部にそれぞれ設けられている。ネジ保持部３７には、後述する一方向へしか回すことができないネジが挿入されるネジ挿入部４６が設けられており、ネジ保持部３８にも前記ネジが挿入されるネジ挿入部４７が設けられている。ネジ挿入部４６は、前記ネジが貫通する貫通孔４６ａと、貫通孔４６ａの図５における左右両端に設けられた、ネジ挿入部４６と主基板表カバー３６とをつなぐ切断部４６ｂ，４６ｃとから構成されており、Ｚ軸方向に並んで４つ設けられている。また、ネジ挿入部４７も同様に、貫通孔４７ａと貫通孔４７ａの左右両端に設けられてネジ挿入部４７と主基板表カバー３６とをつなぐ切断部４７ｂ，４７ｃとから構成されており、Ｚ軸方向に並んで４つ設けられている。また、上側のネジ保持部３７の上端部には、前述の裏カバー３５に設けられた上側の係止突起部４２に係止される係止部３７ａが設けられており、下側のネジ保持部３８の下端部には、前述の裏カバー３５に設けられた下側の係止突起部４３に係止される係止部３８ａが設けられている。また、図１１に示すように、右側壁３６ｃには、前述した裏カバー３５の主基板載置部３５ａの＋Ｘ側の側縁に設けられた４つの突起部５３〜５６に嵌合する４つの貫通孔６１〜６４が設けられている。
【００２９】
また、図８及び図９に示すように、音基板表カバー３４は、略長方形形状の前壁３４ａと、前壁３４ａの−Ｘ側端縁から＋Ｙ方向へ前壁３４ａに対して略垂直に立設された略長方形の左側壁３４ｂと、前壁３４ａの＋Ｘ側端縁から＋Ｙ方向へ前壁３４ａに対して略垂直に立設された略長方形の右側壁３４ｃと、前壁３４ａの−Ｚ側端縁から＋Ｙ方向へ前壁３４ａに対して略垂直に立設された略長方形の下壁３４ｄと、前壁３４ａの＋Ｚ側端縁から延設された側面視階段型形状の上壁３４ｅとから構成されている。また、前壁３４ａと一対の後壁側は開放されており、裏カバー３５の音基板載置部３５ｂ（図７参照）に載置された図示外の音基板を、音基板表カバー３４が覆うようになっている。
【００３０】
また、音基板表カバー３４の左側壁３４ｂには２つの係止爪部７０，７１が設けられており、各々の係止爪部７０，７１にはスリットが設けられている。また、音基板表カバー３４の右側壁３４ｃにも２つの係止爪部７２，７３が設けられており、各々の係止爪部７２，７３にはスリットが設けられている。さらに、左側壁３４ｂには押圧部７４が設けられており、図１５に示すように、押圧部７４は前述の裏カバー３５の音基板載置部３５ｂ（図６参照）の側縁に設けられたリブ４５により主基板表カバー３６方向へ押圧されることになる。そして、左側壁３４ｂに設けられた係止爪部７０，７１が、前述の裏カバー３５の音基板載置部３５ｂの側縁に形成された切り欠き（図示外）に係止して、右側壁３４ｃに設けられた係止爪部７２，７３が、前述の裏カバー３５の音基板載置部３５ｂの側縁に形成された切り欠き５１，５２に係止すると、音基板表カバー３４が前述の裏カバー３５の音基板載置部３５ｂに設けられることになる。
【００３１】
以上に説明した裏カバー３５に主基板表カバー３６と音基板表カバー３４とを以下のようにして取り付けると、図４に示すように制御基板収納箱５０が形成される。図１１に示すように、まず最初に裏カバー３５に主基板表カバー３６を取り付ける。裏カバー３５に主基板表カバー３６を取り付けるには、はじめに主基板表カバー３６の前壁３６ａと一対の開放部が裏カバー３５の主基板載置部３５ａに嵌り込むように主基板表カバー３６を＋Ｙ方向へ移動させる。次に、主基板表カバー３６の右側壁３６ｃに設けられた貫通孔６１〜６４を裏カバー３５の主基板載置部３５ａ（図６参照）の＋Ｘ側の側縁に設けられた突起部５３〜５６に嵌合させて、その状態から、裏カバー３５の主基板載置部３５ａの−Ｘ側の側縁近傍に設けられた係止突起部４２，４３を主基板表カバー３６の左側壁３６ｂ（図５参照）近傍に設けられた係止部３７ａ，３８ａに係止させる。こうして主基板表カバー３６が裏カバー３５に取り付けられる。
【００３２】
この状態で、次に、裏カバー３５に図８に示す音基板表カバー３４を取り付ける。図４及び図１１に示すように、音基板表カバー３４の前壁３４ａと一対の開放部（図示外）が裏カバー３５の音基板載置部３５ｂに嵌り込むように音基板表カバー３４を＋Ｙ方向へ移動させる。次に、音基板表カバー３４の右側壁３４ｃに設けられた係止爪部７２，７３を裏カバー３５の音基板載置部３５ｂの＋Ｘ側の側縁に形成された切り欠き５１，５２に係止させる。同様に音基板表カバー３４の左側壁３４ｂに設けられた係止爪部７０，７１を音基板載置部３５ｂの−Ｘ側の側縁に形成された２つの切り欠き（図示外）に係止させて、音基板表カバー３４を裏カバー３５に取り付ける。
【００３３】
そして、図５に示すように、裏カバー３５に設けられた上下のネジ保持部３１，３３に穿設されたネジ孔４０及び４１（図６参照）と、主基板表カバー３６に設けられたネジ保持部に穿設された貫通孔４６及び４７とに図示外の一方向へしか回すことができないネジが螺入され、主基板表カバー３６は裏カバー３５に固定される。このとき、主基板表カバー３６の固定は、一方向へしか回すことができないネジで行われているので、ネジを回転させて主基板表カバー３６を裏カバー３５から外すことができないようになっている。
【００３４】
また、図１５に示すように、裏カバー３５に主基板表カバー３６と音基板表カバー３４とが取り付けられた状態では、裏カバー３５の音基板載置部３５ｂの側縁に設けられたリブ４５が、音基板表カバー３４において主基板表カバー３６に設けられた貫通孔６１と裏カバー３５に設けられた突起部５３との嵌合部に対向して設けられた押圧部７４を主基板表カバー３６方向へ押圧しているので、音基板表カバー３４が取り付けられたままでは主基板表カバー３６を外すことができないようになっている。尚、本実施の形態では、音基板表カバー３４の押圧部７４がリブ４５に押圧されて、図１１に示す、主基板表カバー３６に設けられた貫通孔６１と裏カバー３５に設けられた突起部５３との嵌合部に密接しているが、音基板表カバー３４が裏カバー３５に設けられた状態で、リブ４５に押圧された押圧部７４が、主基板表カバー３６に設けられた貫通孔６１と裏カバー３５に設けられた突起部５３との嵌合部の嵌合が外れない程度に当該嵌合部から離れた近接位置にあっても良い。即ち、本発明における近接部は、前記嵌合部が外れないように密接するもの及び近接するものを含む。
【００３５】
従って、図４に示す制御基板収納箱５０の状態から、音基板表カバー３４と主基板表カバー３６とを取り外すには、まず、音基板表カバー３４を外してから主基板表カバー３６を外すという順で取り外しを行う。図４乃至図８に示すように、裏カバー３５の音基板載置部３５ｂを覆っている音基板表カバー３４の右側壁３４ｃに設けられた係止爪部７２，７３を、裏カバー３５の音基板載置部３５ｂの＋Ｘ側に形成された切り欠き５１，５２から外す。また同様に音基板表カバー３４の左側壁３４ｂに設けられた係止爪部７０，７１を裏カバー３５の音基板載置部３５ｂの−Ｘ側に形成された切り欠き（図示外）から外す。これにより音基板表カバー３４は裏カバー３５から外され、図１０及び図１１に示すように、裏カバー３５に主基板表カバー３６のみが残る。
【００３６】
そして、主基板表カバー３６を裏カバー３５から取り外す。その取り外し工程は、まず、主基板表カバー３６のネジ保持部３７に設けられたネジ挿入部４６において、貫通孔４６ａの左右両端の切断部４６ｂ，４６ｃを図示外の工具等で切断する。さらに、ネジ保持部３８に設けられたネジ挿入部４７においても、貫通孔４７ａの左右両端の切断部４７ｂ，４７ｃを切断する。これにより、主基板表カバー３６のネジ保持部３７のネジ挿入部４６とネジ保持部３８のネジ挿入部４７とは、裏カバー３５に取り残されて、図示外の一方向へしか回すことができないネジで固定された状態となり、主基板表カバー３６から切り離される。次に、主基板表カバー３６を＋Ｘ方向へスライドさせて、主基板表カバー３６の右側壁３６ｃに設けられた貫通孔６１〜６４を裏カバー３５の主基板載置部３５ａ（図６参照）の＋Ｘ側側縁に設けられた突起部５３〜５６から外す。これにより裏カバー３５から主基板表カバー３６を取り外すことができる。従って、主基板表カバー３６を外して裏カバー３５の主基板載置部３５ａに載置された図示外の主基板を不正なものに交換しようとしても、主基板表カバー３６を外すまでに手間がかかるため、主基板（図示外）を不正なものに取り替えるというような不正行為が迅速に行われるのを防ぐことができる。
【００３７】
次に、図３及び図１６乃至図１８を参照して、パチンコ機１の主制御を司る主基板（図示外）を取り替える時などに、パチンコ機１の背面から制御基板収納箱５０を取り外して、制御基板収納箱５０の裏カバー３５から音基板表カバー３４と主基板表カバー３６とを外して、裏カバー３５の主基板載置部３５ａ（図６参照）に載置された主基板（図示外）を取り出す手順について説明する。図３は、パチンコ機１の背面に本体カバー３０と電源基板表カバー３２ａと配線カバー３２ｂと制御基板収納箱５０（音基板表カバー３４と主基板表カバー３６）とが設けられた状態を示す背面図である。
【００３８】
図３に示すように、パチンコ機１の背面上部には本体カバー３０が設けられており、本体カバー３０の下側には電源基板表カバー３２ａ及び配線カバー３２ｂと制御基板収納箱５０とがそれぞれ本体カバー３０に隣接して設けられている。電源基板表カバー３２ａ及び配線カバー３２ｂは本体カバー３０の下側の図３における右側に設けられており、その左側に隣接して制御基板収納箱５０を構成する音基板表カバー３４が設けられている。本体カバー３０は、パチンコ機１の背面の上部左端近傍にパチンコ機１の高さ方向と平行に並設された２本の軸１３，１４を中心に回動可能となっており、本体カバー３０の右端部近傍がクリップ２５，２６により固定され、さらに図示外の固定装置によりパチンコ機１の背面に設けられている。
【００３９】
また、電源基板表カバー３２ａには、パチンコ機１の背面に設けられた軸支部２７に保持されて自らを回動可能にする図示外の軸が設けられ、配線カバー３２ｂには、パチンコ機１の背面に設けられた軸支部２８に保持されて自らを回動可能にする図示外の軸が設けられている。さらに図示外のクリップに固定されて電源基板表カバー３２ａはパチンコ機１の背面に設けられている。このとき、電源基板表カバー３２ａを固定する図示外のクリップは本体カバー３０に覆われており、本体カバー３０が設けられたままでは図示外のクリップは外せないようになっている。即ち、本体カバー３０が設けられたままでは電源基板表カバー３２ａを外すことができないようになっている。
【００４０】
また、制御基板収納箱５０は、その裏カバー３５の上端部に形成された取付軸３５ｃ，３５ｄ（図６参照）がパチンコ機１の背面に設けられた軸支部（図示外）に保持されて、さらに裏カバー３５に設けられた上下のネジ保持部３１，３３に挟まれた位置に穿設された貫通孔８５（図６参照）に取付クリップ８０が挿入されて、制御基板収納箱５０がパチンコ機１の背面に設けられる。また、このとき、裏カバー３５の側縁に設けられた配線カバー係合部３９（図６参照）に配線カバー３２ｂの一部が係合して、配線カバー３２ｂにより配線カバー係合部３９が覆われた状態であり、裏カバー３５の２つの取付軸３５ｃ，３５ｄは本体カバー３に覆われた状態であるので、配線カバー３２ｂが設けられたままでは制御基板収納箱５０をパチンコ機１の背面から外すことができないようになっている。尚、図３に示すように、音基板表カバー３４の右側には、近接して電源基板表カバー３２ａ及び配線カバー３２ｂが設けられており、図４に示す、音基板表カバー３４の右側壁３４ｃに設けられた係止爪部７２，７３が、裏カバー３５の音基板載置部３５ｂの側縁に形成された切り欠き５１，５２（図７参照）から外れないようになっている。尚、前記近接とは、電源基板表カバー３２ａ及び配線カバー３２ｂが、音基板表カバー３４の右側に当接するか、または、係止爪部７２，７３が裏カバー３５の音基板載置部３５ｂの側縁に形成された切り欠き５１，５２から外れない程度に、電源基板表カバー３２ａ及び配線カバー３２ｂが音基板表カバー３４の右側から間隔を空けて接近している状態の何れでも良い。
【００４１】
従って、パチンコ機１の背面から主基板表カバー３６を外すには、まず本体カバー３０を外して、次に電源基板表カバー３２ａ及び配線カバー３２ｂを外し、その後に制御基板収納箱５０を外すという手順で行わなければ、主基板表カバー３６を外すことはできない。本体カバー３０を外すには、まず、図示外の固定装置を外してクリップ２５，２６を外す。そして、本体カバー３０を回動させて２つの軸１３，１４から本体カバー３０を抜く。そして、図１６に示すように、電源基板表カバー３２ａ及び配線カバー３２ｂと制御基板収納箱５０とがパチンコ機１の背面に残された状態から、次は電源基板表カバー３２ａ及び配線カバー３２ｂを外す。
【００４２】
電源基板表カバー３２ａも本体カバー３０と同様に、本体カバー３０を外したことにより現出する図示外のクリップを抜き、パチンコ機１の背面に設けられた軸支部２７，２８から電源基板表カバー３２ａ及び配線カバー３２ｂに設けられた図示外の軸を抜く。そして、図１７に示すように、パチンコ機１の背面に制御基板収納箱５０のみが残った状態から、裏カバー３５に設けられた上下のネジ保持部３１，３３の中間部に穿設された貫通孔８５（図６参照）に挿入された取付クリップ８０を抜き、制御基板収納箱５０を裏カバー３５に形成された取付軸３５ｃ，３５ｄ（図６参照）を中心に回動させてパチンコ機１の背面から取り外す。そして、前述の裏カバー３５から音基板表カバー３４と主基板表カバー３６とを取り外す手順を辿って、裏カバー３５から主基板表カバー３６と音基板表カバー３４とを外し、裏カバー３５の主基板載置部３５ａに載置された図示外の主基板を取り出すと、図１８に示すように、パチンコ機１の背面から全てのカバーが外された状態となる。
【００４３】
以上説明したように、本実施の形態の制御基板収納箱５０では、主基板表カバー３６に設けられた貫通孔６１〜６４が裏カバー３５に設けられた突起部５３〜５６に嵌合して、さらに図示外の一方向へしか回すことができないネジで固定されて裏カバー３５に主基板表カバー３６が設けられており、その後に裏カバー３５に主基板表カバー３６と隣接して設けられる音基板表カバー３４が、その左側壁３４ｂに設けられた押圧部主基板表カバー３６と裏カバー３５との嵌合部を塞ぐので、音基板表カバー３４を外さなければ主基板表カバー３６が外されることがない。従って、図示外の主基板を不正なものに取り替えるというような不正行為が迅速に行われるのを防止することができる。
【００４４】
また、パチンコ機１の背面において、その上部に設けられた本体カバー３０と、本体カバー３０の下側に隣接して設けられた電源基板表カバー３２ａ及び配線カバー３２ｂとを外した状態でなければ、制御基板収納箱５０自体をパチンコ機１の背面から外すことができない構造となっているので、図示外の主基板を不正なものに取り替えるというような不正行為が迅速に行われるのを、より確実に防止することができる。
【００４５】
尚、本発明は各種の変形が可能であることは言うまでもない。例えば、本実施の形態では、裏カバー３５が正面視略正方形形状であり、音基板表カバー３４及び主基板表カバー３６が正面視略長方形形状であるが、裏カバー３５は正面視で略長方形等の矩形であっても良い。この場合、音基板表カバー３４及び主基板表カバー３６は、裏カバー３５に嵌合できる形状であれば、正面視で略長方形や略正方形等の矩形であっても良い。
【００４６】
【発明の効果】
以上説明したように、請求項１に係る発明の遊技機では、制御基板収納箱の裏カバーの第１の載置部の第２の載置部側の端部には第一の表カバーを係止する突起部が設けられ、裏カバーの第１の載置部側の端部には、一方向へしか回すことができないネジが螺入されるネジ孔が設けられており、第一の表カバーの一方の側面には裏カバーに設けられた突起部に嵌合する嵌合部が設けられ、第一の表カバーの前記一方の側面と反対側の側面には、前記ネジが貫設される貫通孔が設けられたねじ保持部が設けられているので、第一の表カバーは、一方の端部に設けられた嵌合部が裏カバーの突起部に嵌合し、ねじ保持部に設けられた貫通孔をネジが貫通して、裏カバーに螺設される。
【００４７】
また、裏カバーには、第一の制御基板を載置する第一の載置部と、第一の制御基板と異なる第二の制御基板を載置する第２の載置部とが互いに隣接して設けられ、第一の載置部には、第一の表カバーが設けられ、第２の載置部には第二の制御基板を収納する第二の表カバーが設けられているので、第一の表カバーと第二の表カバーを独立して着脱することができる。
【００４８】
さらに、第二の表カバーに設けられた密接部は、裏カバーに設けられた突起部に嵌合した状態の第一の表カバーに設けられた嵌合部に密接するので、第二の表カバーを外さなければ第一の表カバーを外すことができず、それにより不正行為が迅速に行われるのを防ぐことができる。
【００４９】
また、制御基板収納箱の裏カバーに設けられた突起部の近傍にはリブが設けられており、当該リブが第二の表カバーに設けられた密接部を嵌合部方向に押圧し、第一の表カバーの嵌合部と第二の表カバーとの間に隙間が生じないので、第二の表カバーを着けたまま第一の表カバーを外すことができず、第二の表カバーを外さなければ第一の表カバーを外すことはできない。それにより、不正行為が迅速に行われるのを防ぐことができる。
【００５０】
また、請求項２に係る発明の遊技機では、請求項１に記載の遊技機の効果に加えて、第一の表カバーを裏カバーに取り付ける際に、裏カバーの第一の載置部側の端部に設けられた一対の係止突起により、第一の表カバーのねじ保持部に設けられた一対の係止部が係止されて、第一の表カバーが裏カバー係止される。
【図面の簡単な説明】
【図１】  図１はパチンコ機１の正面図である。
【図２】  図２はパチンコ機１の遊技盤２の正面図である。
【図３】  図３は、パチンコ機１の背面に本体カバー３０と電源基板表カバー３２ａ及び配線カバー３２ｂと制御基板収納箱５０とが設けられた状態を示す背面図である。
【図４】  図４は制御基板収納箱５０の斜視図である。
【図５】  図５は制御基板収納箱５０の斜視図である。
【図６】  図６は裏カバー３５の正面図である。
【図７】  図７は裏カバー３５の斜視図である。
【図８】  図８は音基板表カバー３４の斜視図である。
【図９】  図９は音基板表カバー３４の斜視図である。
【図１０】  図１０は、裏カバー３５に主基板表カバー３６が取り付けられた状態を示す正面図である。
【図１１】  図１１は、裏カバー３５に主基板表カバー３６が取り付けられた状態を示す斜視図である。
【図１２】  図１２は制御基板収納箱５０の正面図である。
【図１３】  図１３は図１２におけるＡ−Ａ線矢視方向断面図である。
【図１４】  図１４は制御基板収納箱５０の正面図である。
【図１５】  図１５は図１４におけるＢ−Ｂ線矢視方向断面図である。
【図１６】  図１６は、パチンコ機１の背面に電源基板表カバー３２ａ及び配線カバー３２ｂと制御基板収納箱５０とが設けられた状態を示す背面図である。
【図１７】  図１７は、パチンコ機１の背面に制御基板収納箱５０が設けられた状態を示す背面図である。
【図１８】  図１８は、パチンコ機１の背面から全てのカバーが取り外された状態を示す背面図である。
【符号の説明】
１    パチンコ機
２    遊技盤
３０    本体カバー
３１    ネジ保持部
３２ａ  電源基板表カバー
３２ｂ  配線カバー
３３    ネジ保持部
３４    音基板表カバー
３５    裏カバー
３５ａ  主基板載置部
３５ｂ  音基板載置部
３６    主基板表カバー
３７    ネジ保持部
３７ａ  係止部
３８    ネジ保持部
３８ａ  係止部
４０    ネジ孔
４１    ネジ孔
４２    係止突起部
４３    係止突起部
４５    リブ
４６    貫通孔
５０    制御基板収納箱
５１    切り欠き
５２    切り欠き
５３    突起部
５４    突起部
５５    突起部
５６    突起部
６１    貫通孔
６２    貫通孔
６３    貫通孔
６４    貫通孔
７０    係止爪部
７１    係止爪部
７２    係止爪部
７３    係止爪部
７４    押圧部
【図１】
0003785500.tif 000002
【図２】
0003785500.tif 000003
【図３】
0003785500.tif 000004
【図４】
0003785500.tif 000005
【図５】
0003785500.tif 000006
【図６】
0003785500.tif 000007
【図７】
0003785500.tif 000008
【図８】
0003785500.tif 000009
【図９】
0003785500.tif 000010
【図１０】
0003785500.tif 000011
【図１１】
0003785500.tif 000012
【図１２】
0003785500.tif 000013
【図１３】
0003785500.tif 000014
【図１４】
0003785500.tif 000015
【図１５】
0003785500.tif 000016
【図１６】
0003785500.tif 000017
【図１７】
0003785500.tif 000018
【図１８】
0003785500.tif 000019